(57)【特許請求の範囲】
【請求項１】
レベル毎にグループ分けされたＣＱＩのグループを示す上位ＣＱＩと、前記上位ＣＱＩが示すグループ内のＣＱＩを特定すると共に、前記上位ＣＱＩが示すグループに隣接するグループ内のＣＱＩの一部を特定する下位ＣＱＩとが設定されたＣＱＩ情報を記憶する記憶手段と、
前記ＣＱＩ情報に基づいて、第１周期で上位ＣＱＩ信号を生成し、前記第１周期より短い第２周期で下位ＣＱＩ信号を生成するＣＱＩ信号生成手段と、
生成された前記上位ＣＱＩ信号及び前記下位ＣＱＩ信号を送信する送信手段と、
を具備する無線通信端末装置。
【請求項２】
前記記憶手段は、前記下位ＣＱＩに対応付けられたＳＩＲが前記下位ＣＱＩに対応する上位ＣＱＩの隣接するレベルのＳＩＲにオーバーラップするように設定されたＣＱＩ情報を記憶する請求項１に記載の無線通信端末装置。
【請求項３】
前記記憶手段は、前記下位ＣＱＩに対応付けられた情報ビット数が前記下位ＣＱＩに対応する上位ＣＱＩの隣接するレベルの情報ビット数にオーバーラップするように設定されたＣＱＩ情報を記憶する請求項１に記載の無線通信端末装置。
【請求項４】
レベル毎にグループ分けされたＣＱＩのグループを示す上位ＣＱＩ信号と、前記上位ＣＱＩ信号が示すグループ内のＣＱＩを特定すると共に、前記上位ＣＱＩ信号が示すグループに隣接するグループ内のＣＱＩの一部を特定する下位ＣＱＩ信号とを受信する受信手段と、
受信された前記上位ＣＱＩ信号に応じて、レベル毎にグループ分けされたＭＣＳのグループを示す上位ＭＣＳ信号を割り当てる上位ＭＣＳ割当手段と、
受信された前記下位ＣＱＩ信号に応じて、前記上位ＭＣＳ信号が示すグループ内のＭＣＳを特定する、または前記上位ＭＣＳ信号が示すグループに隣接するグループ内のＭＣＳの一部を特定する下位ＭＣＳ信号を割り当てる下位ＭＣＳ割当手段と、
割り当てられた上位ＭＣＳ割当信号及び下位ＭＣＳ割当信号を送信する送信手段と、
を具備する無線通信基地局装置。
【請求項５】
レベル毎にグループ分けされたＣＱＩのグループを示す上位ＣＱＩと、前記上位ＣＱＩが示すグループ内のＣＱＩを特定すると共に、前記上位ＣＱＩが示すグループに隣接するグループ内のＣＱＩの一部を特定する下位ＣＱＩとが設定されたＣＱＩ情報に基づいて、第１周期で上位ＣＱＩを選択し、前記第１周期より短い第２周期で下位ＣＱＩを選択するＣＱＩ選択方法。
【発明の詳細な説明】
【技術分野】
【０００１】
本発明は、無線通信端末装置及びＣＱＩ（Channel Quality Indicator）選択方法に関する。
【背景技術】
【０００２】
無線通信システムでは、高速パケット伝送の伝送方式として、伝搬環境の変動に応じて、変調方式や符号化率を適応的に変更するＡＭＣ（Adaptive Modulation and Coding）技術が適用されている。
【０００３】
ここでＡＭＣ技術について簡単に説明する。まず、通信端末装置（以下、「ＵＥ（User
Equipment）」という）において下り回線品質を随時測定し、測定結果（下り回線品質情報）を上り回線によって基地局装置（以下、「Ｎｏｄｅ Ｂ」という）に送信する。Ｎｏｄｅ Ｂでは、下り回線品質情報に基づいて、変調方式及び符号化率の組合せであるＭＣＳ（Modulation and Coding Scheme）を選択し、選択したＭＣＳを用いて下りパケットを送信する。
【０００４】
このようなＡＭＣを改善した技術が特許文献１に開示されている。特許文献１には、伝送方式（変調方式）を複数のグループに分け、選択された伝送方式がいずれのグループ情報に含まれるかを判断し、グループ情報が変更される場合にグループ情報を送信し、グループの中から伝送方式を特定する情報を定期的に送信する技術が開示されている。
【０００５】
また、ＡＭＣを改善した他の技術が特許文献２に開示されている。特許文献２には、下り回線品質情報をＴＴＩ（Transmission Time Interval）よりも長い周期（長周期）で報告させ、その報告に基づいて通信端末を予備選択し、予備選択した通信端末に対してさらに下り回線品質情報を短周期で報告させる技術が開示されている。
【０００６】
上述した特許文献１に開示の技術と特許文献２に開示の技術とを組み合わせた技術として、以下のような方法が考えられる。ここでは、ＵＥからＮｏｄｅ Ｂに送信する下り回線品質情報としてＣＱＩを用いるものとする。
【０００７】
図１はＣＱＩテーブルを示す図である。この図では、ＣＱＩを２４レベルとし、この２４レベルを４レベルごとに６つにグループ分けし、このグループを上位ＣＱＩの６レベルによって表し、各グループ内の４つのレベルを下位ＣＱＩの４レベルによって特定することを示している。例えば、ＣＱＩがレベル７の場合、上位ＣＱＩはレベル２となり、下位ＣＱＩはレベル３となる。このとき、対応する変調方式はＱＰＳＫ（繰り返し数４）、符号化率Ｒ＝７／１６、情報ビット数７００となる。
【０００８】
ちなみに、情報ビット数とは、符号化前の実際に送信されるデータのビット数を示しており、例えば、ＣＱＩがレベル１とレベル２とでは、符号化後のビット数は８００ビットで同じであるが、符号化前のビット数はそれぞれ１００ビットと２００ビットで異なっている。さらに、ここでは、上位ＣＱＩを長周期で通知し、下位ＣＱＩを短周期で通知するものとする。
【０００９】
次に、図１に示したＣＱＩテーブルを用いてＣＱＩをＮｏｄｅ Ｂに報告する場合について図２Ａ及び図２Ｂを用いて説明する。図２Ａでは、ＵＥでの受信ＳＩＲ（Signal to Interference Ratio）の時間変化を表しており、縦軸がＳＩＲを、横軸が時刻をそれぞれ表している。時刻ｔ０では、ＳＩＲが５．５ｄＢであり、ＣＱＩはレベル６となり、上位
ＣＱＩ＝２、下位ＣＱＩ＝２がそれぞれ報告される。また、時刻ｔ１では、ＳＩＲが４．５ｄＢであり、ＣＱＩはレベル５となり、下位ＣＱＩ＝１が報告される。
【特許文献１】特開２００２−２６１８５１号公報
【特許文献２】特開２００２−３２０２６２号公報
【発明の開示】
【発明が解決しようとする課題】
【００１０】
しかしながら、図２Ａにおいて、さらに、時刻ｔ２では、ＳＩＲが３ｄＢであり、ＣＱＩはレベル４となり、上位ＣＱＩ＝１、下位ＣＱＩ＝４となるが、上位ＣＱＩの報告周期ではないことから、下位ＣＱＩ＝４のみが報告されるため、Ｎｏｄｅ Ｂでは、上位ＣＱＩ＝２、下位ＣＱＩ＝４となり、ＣＱＩがレベル８として認識されるため、図２Ｂに示すように、ＵＥとＮｏｄｅ ＢとでＣＱＩの誤認識が発生する。すなわち、長周期期間内において、上位ＣＱＩレベルを超えるＳＩＲの変動があった場合でも、上位ＣＱＩを変更することができないという問題がある。
【００１１】
本発明の目的は、ＣＱＩをレベル毎にグループ分けし、グループを示す上位ＣＱＩを長周期で報告し、グループ内のＣＱＩを特定する下位ＣＱＩを短周期で報告する際、ＣＱＩを正確に選択する無線通信端末装置及びＣＱＩ選択方法を提供することである。
【課題を解決するための手段】
【００１２】
本発明の無線通信端末装置は、レベル毎にグループ分けされたＣＱＩのグループを示す上位ＣＱＩと、前記上位ＣＱＩが示すグループ内のＣＱＩを特定すると共に、前記上位ＣＱＩが示すグループに隣接するグループ内のＣＱＩの一部を特定する下位ＣＱＩとが設定されたＣＱＩ情報を記憶する記憶手段と、前記ＣＱＩ情報に基づいて、第１周期で上位ＣＱＩ信号を生成し、前記第１周期より短い第２周期で下位ＣＱＩ信号を生成するＣＱＩ信号生成手段と、生成された前記上位ＣＱＩ信号及び前記下位ＣＱＩ信号を送信する送信手段と、を具備する構成を採る。
【発明の効果】
【００１３】
本発明によれば、ＣＱＩをレベル毎にグループ分けし、グループを示す上位ＣＱＩを長周期で報告し、グループ内のＣＱＩを特定する下位ＣＱＩを短周期で報告する際、ＣＱＩを正確に選択することができる。
【発明を実施するための最良の形態】
【００１４】
以下、本発明の実施の形態について、図面を参照して詳細に説明する。なお、本発明の実施の形態では、ＣＱＩをレベル毎にグループ分けし、グループを示す上位ＣＱＩを通信端末装置（以下、「ＵＥ」という）が長周期で基地局装置（以下、「Ｎｏｄｅ Ｂ」とい
う）に報告し、グループ内のＣＱＩを特定する下位ＣＱＩをＵＥが短周期でＮｏｄｅ Ｂに報告することを前提に説明する。ただし、短周期及び長周期とは、例えば、送信データを割り当てる時間単位であるＴＴＩ（Transmission Time Interval）に対してそれぞれ短い周期及び長い周期とする。
【００１５】
（実施の形態１）
図３は、本発明の実施の形態１に係るＮｏｄｅ Ｂ１００の構成を示すブロック図である。この図において、上位ＣＱＩ信号復号部１０１は、ＵＥによって送信され、アンテナにおいて受信された信号から全てのサブバンドの上位ＣＱＩ信号を復号し、復号した上位ＣＱＩをサブバンドスケジューリング部１０２に出力する。
【００１６】
サブバンドスケジューリング部１０２は、上位ＣＱＩ信号復号部１０１から出力された全てのサブバンドの上位ＣＱＩに基づいて、サブバンド毎に割り当てるＵＥを決定し、決定したＵＥ及びこのＵＥに割り当てるサブバンドの番号（以下、これらを総称して「スケジューリング情報」という）を上位ＭＣＳ決定部１０４、上位ＭＣＳ割当信号生成部１０８及びデータ信号生成部１１０にそれぞれ出力する。
【００１７】
ＣＱＩテーブル記憶部１０３には、ＣＱＩがレベル毎にグループ分けされ、グループを示す上位ＣＱＩと、グループに関連するＣＱＩを特定する下位ＣＱＩとが対応付けられている。また、上位ＣＱＩには上位ＭＣＳが、下位ＣＱＩには下位ＭＣＳがそれぞれ対応付けられている。さらに、下位ＣＱＩに対応付けられたＳＩＲは、下位ＣＱＩに対応する上位ＣＱＩの隣接するレベルのＳＩＲにオーバーラップするように設定されている。なお、ＣＱＩテーブルの詳細については後述する。
【００１８】
上位ＭＣＳ決定部１０４は、サブバンドスケジューリング部１０２から出力されたスケジューリング情報からサブバンドに割り当てられるＵＥを認識し、このＵＥの上位ＣＱＩに対応する上位ＭＣＳをＣＱＩテーブル記憶部１０３から検索し、検索した上位ＭＣＳをＵＥに割り当てることを決定する。決定された上位ＭＣＳはＭＣＳ決定部１０７及び上位ＭＣＳ割当信号生成部１０８に出力される。
【００１９】
下位ＣＱＩ信号復号部１０５は、ＵＥによって送信され、アンテナにおいて受信された信号から下位ＣＱＩ信号を復号し、復号した下位ＣＱＩを下位ＭＣＳ決定部１０６に出力する。
【００２０】
下位ＭＣＳ決定部１０６は、下位ＣＱＩ信号復号部１０５から出力された下位ＣＱＩに対応する下位ＭＣＳをＣＱＩテーブル記憶部１０３から検索し、検索した下位ＭＣＳをＵＥに割り当てることを決定する。決定された下位ＭＣＳはＭＣＳ決定部１０７及び下位ＭＣＳ割当信号生成部１０９に出力される。
【００２１】
ＭＣＳ決定部１０７は、上位ＭＣＳ決定部１０４から出力された上位ＭＣＳと、下位ＭＣＳ決定部１０６から出力された下位ＭＣＳとを用いてＭＣＳを決定し、決定したＭＣＳをデータ信号生成部１１０に出力する。
【００２２】
上位ＭＣＳ割当信号生成部１０８は、サブバンドスケジューリング部１０２から出力されたスケジューリング情報と、上位ＭＣＳ決定部１０４から出力された上位ＭＣＳとに基づいて、サブバンドを割り当てるＵＥ ＩＤ、ＵＥに割り当てるサブバンド番号及び上位ＭＣＳを含む上位ＭＣＳ割当信号を生成し、生成した上位ＭＣＳ割当信号を多重化部１１２に出力する。
【００２３】
下位ＭＣＳ割当信号生成部１０９は、下位ＭＣＳ決定部１０６から出力されたＭＣＳに
基づいて、下位ＭＣＳ割当信号を生成し、生成した下位ＭＣＳ割当信号を多重化部１１２に出力する。
【００２４】
データ信号生成部１１０は、サブバンドスケジューリング部１０２から出力されたスケジューリング情報に基づいて、サブバンドが割り当てられたＵＥに送信するデータに、ＭＣＳ決定部１０７から出力されたＭＣＳを用いて変調及び符号化を施し、変調及び符号化を施したデータ信号を多重化部１１２に出力する。
【００２５】
パイロット信号生成部１１１は、パイロット信号を生成し、生成したパイロット信号を多重化部１１２に出力する。
【００２６】
多重化部１１２は、上位ＭＣＳ割当信号、下位ＭＣＳ割当信号、データ信号及びパイロット信号を多重し、多重信号をＩＦＦＴ部１１３に出力し、ＩＦＦＴ部１１３は、多重信号に逆高速フーリエ変換を施すことにより、周波数領域の信号から時間領域の信号に変換する。すなわち、多重信号を複数の直交するサブバンドに周波数多重する。周波数多重された多重信号はＧＩ挿入部１１４に出力される。
【００２７】
ＧＩ挿入部１１４は、ＩＦＦＴ部１１３から出力された信号にガードインターバル（GI: Guard Interval）を挿入し、ＧＩを挿入した信号をアンテナを介してＵＥに送信する。
【００２８】
ここで、ＣＱＩテーブル記憶部１０３が備えるＣＱＩテーブルについて図４を用いて説明する。図４に示すように、ＣＱＩテーブルは、ＣＱＩを２４レベルとし、この２４レベルを４レベルごとに６つにグループ分けし、このグループを上位ＣＱのＩ６レベルによって表し、各グループ内の４つのレベルを下位ＣＱＩの４レベルによって特定することを示している。
【００２９】
また、このＣＱＩテーブルでは、ＵＥにおける受信ＳＩＲが０〜４ｄＢに上位ＣＱＩのレベル１が対応し、４〜８ｄＢに上位ＣＱＩのレベル２が対応し、ＳＩＲが４ｄＢ毎に２４ｄＢまで順に上位ＣＱＩに対応している。一方、上位ＣＱＩのレベル１に対応する下位ＣＱＩのレベル１〜４にＳＩＲ−１〜５ｄＢが対応し、上位ＣＱＩのレベル２に対応する下位ＣＱＩのレベル１〜４にＳＩＲ２〜９ｄＢが対応するというように、下位ＣＱＩに対応付けられたＳＩＲは、下位ＣＱＩに対応する上位ＣＱＩの隣接するレベルのＳＩＲにオーバーラップするように設定されている。
【００３０】
また、上位ＣＱＩは上位ＭＣＳとして変調方式に対応し、下位ＣＱＩは下位ＭＣＳとして符号化率及び情報ビット数に対応している。例えば、上位ＣＱＩのレベル１が上位ＭＣＳレベル１（ＱＰＳＫ（繰り返し数８））に対応し、下位ＣＱＩのレベル１が下位ＭＣＳのレベル１、符号化率Ｒ＝１／４に対応する。ただし、情報ビット数は、上位ＭＣＳ及び下位ＭＣＳによって特定される。
【００３１】
図５は、本発明の実施の形態１に係るＵＥ２００の構成を示すブロック図である。この図において、ＧＩ除去部２０１は、アンテナにおいて受信された信号からＧＩを除去し、ＧＩを除去した信号をＦＦＴ部２０２に出力する。ＦＦＴ部２０２は、ＧＩ除去部２０１から出力された信号に高速フーリエ変換（FFT: Fast Fourier Transform）を施すことにより、時間領域の信号から周波数領域の信号に変換し、ＦＦＴ後の信号を分離部２０３に出力する。
【００３２】
分離部２０３は、ＦＦＴ部２０２から出力された信号を上位ＭＣＳ割当信号、下位ＭＣＳ割当信号、データ信号及びパイロット信号に分離し、上位ＭＣＳ割当信号を上位ＭＣＳ割当信号復号部２０４に、下位ＭＣＳ割当信号を下位ＭＣＳ割当信号復号部２０５に、デ
ータ信号をデータ信号復号部２０６に、パイロット信号をパイロット信号復号部２０７にそれぞれ出力する。
【００３３】
上位ＭＣＳ割当信号復号部２０４は、分離部２０３から出力された上位ＭＣＳ割当信号を復号し、復号結果に基づいて、自装置がＮｏｄｅ Ｂによってサブバンドに割り当てられたか否かを判定する。この判定結果は下位ＭＣＳ割当信号復号部２０５に出力される。
【００３４】
下位ＭＣＳ割当信号復号部２０５は、上位ＭＣＳ割当信号復号部２０４からの判定結果が自装置にサブバンドが割り当てられていることを示す場合に限り、分離部２０３から出力された下位ＭＣＳ割当信号を復号する。復号された下位ＭＣＳ割当信号はデータ信号復号部２０６に出力される。
【００３５】
データ信号復号部２０６は、下位ＭＣＳ割当信号復号部２０５から出力された下位ＭＣＳ割当信号に基づいて、分離部２０３から出力されたデータ信号を復号する。
【００３６】
パイロット信号復号部２０７は、分離部２０３から出力されたパイロット信号を復号し、上位ＭＣＳ割当信号復号部２０４からの判定結果が自装置にサブバンドが割り当てられていることを示す場合、復号したパイロット信号を上位ＣＱＩ信号生成部２０９及び下位ＣＱＩ信号生成部２１０に出力し、上位ＭＣＳ割当信号復号部２０４からの判定結果が自装置にサブバンドが割り当てられていないことを示す場合、復号したパイロット信号を上位ＣＱＩ信号生成部２０９にのみ出力する。
【００３７】
ＣＱＩテーブル記憶部２０８には、Ｎｏｄｅ Ｂ１００のＣＱＩテーブル記憶部１０３に記憶されたＣＱＩテーブルと同様のＣＱＩテーブルが記憶されている。
【００３８】
上位ＣＱＩ信号生成部２０９は、パイロット信号復号部２０７から出力されたパイロット信号に基づいて、受信ＳＩＲを測定し、受信ＳＩＲに対応する上位ＣＱＩをＣＱＩテーブル２０８から検索し、上位ＣＱＩ信号を生成し、Ｎｏｄｅ Ｂ１００に送信する。
【００３９】
下位ＣＱＩ信号生成部２１０は、パイロット信号復号部２０７から出力されたパイロット信号に基づいて、受信ＳＩＲを測定し、受信ＳＩＲに対応する下位ＣＱＩをＣＱＩテーブル記憶部２０８から検索し、下位ＣＱＩ信号を生成し、Ｎｏｄｅ Ｂ１００に送信する。
【００４０】
次に、上述したＮｏｄｅ Ｂ１００とＵＥ２００との通信手順について図６を用いて説明する。図６において、ステップ（以下、「ＳＴ」と省略する）４０１では、ＵＥ２００からＮｏｄｅ Ｂ１００に全てのサブバンド毎の受信ＳＩＲに応じた上位ＣＱＩ信号を送信し、ＳＴ４０２では、Ｎｏｄｅ Ｂ１００が上位ＣＱＩ信号に基づいて、ＵＥに割り当てるサブバンドと上位ＭＣＳを決定する。
【００４１】
ＳＴ４０３では、Ｎｏｄｅ Ｂ１００からＵＥ２００に上位ＭＣＳ割当信号を送信し、ＳＴ４０４では、ＵＥ２００からＮｏｄｅ Ｂ１００に上位ＭＣＳ割当信号によって割り当てられたサブバンドについてのみ下位ＣＱＩ信号を送信する。
【００４２】
ＳＴ４０５では、ＳＴ４０２において決定された上位ＭＣＳと、ＳＴ４０４において送信された下位ＣＱＩとに基づいて、Ｎｏｄｅ Ｂ１００によって送信データとその符号化率が決定され、ＳＴ４０６では、Ｎｏｄｅ Ｂ１００からＵＥ２００に下位ＭＣＳ割当信号が送信される。
【００４３】
ＳＴ４０７では、Ｎｏｄｅ Ｂ１００からＵＥ２００にデータが送信され、ＳＴ４０８
はＳＴ４０４と同様であり、ＳＴ４０８以降ではＳＴ４０４〜ＳＴ４０７までが２．５ｍｓｅｃ周期で３回繰り返される。また、ＳＴ４０９はＳＴ４０１と同様であり、ＳＴ４０１の処理が行われてから１０ｍｓｅｃ後に行われる。
【００４４】
次に、図４に示したＣＱＩテーブルを用いてＣＱＩを選択する場合について図７Ａ及び図７Ｂを用いて説明する。図７Ａでは、ＵＥ２００での受信ＳＩＲの時間変化を表しており、縦軸がＳＩＲを、横軸が時刻をそれぞれ表している。時刻ｔ０では、ＳＩＲが５．５ｄＢであり、ＣＱＩはレベル６となり、上位ＣＱＩ＝２、下位ＣＱＩ＝２がそれぞれ報告される。また、時刻ｔ１では、ＳＩＲが４．５ｄＢであり、ＣＱＩはレベル５となり、下位ＣＱＩ＝１が報告される。さらに、時刻ｔ２では、ＳＩＲが３ｄＢであり、ＣＱＩはレベル５となり、上位ＣＱＩ＝２、下位ＣＱＩ＝１となり、長周期期間内においても、上位ＣＱＩレベルを超えるＳＩＲの変動に上位ＣＱＩを変更することなく、下位ＣＱＩで追従することができるので、図７Ｂに示すように、ＵＥ２００とＮｏｄｅ Ｂ１００との間でＣＱＩの認識を一致させることができる。
【００４５】
このように実施の形態１によれば、ＣＱＩをレベル毎にグループ分けし、グループを示す上位ＣＱＩを長周期で報告し、グループ内のＣＱＩを特定する下位ＣＱＩを短周期で報告するＵＥにおいて、下位ＣＱＩに対応付けられたＳＩＲは、下位ＣＱＩに対応する上位ＣＱＩの隣接するレベルのＳＩＲにオーバーラップするように設定されることにより、長周期期間内で上位ＣＱＩを変更することができない場合でも、上位ＣＱＩレベルを超えるＳＩＲの変動に下位ＣＱＩの変更で追従することができるので、ＣＱＩを正確に選択することができ、ＵＥとＮｏｄｅ Ｂとの間でＣＱＩの認識を一致させることができる。
【００４６】
（実施の形態２）
本発明の実施の形態２に係るＮｏｄｅ Ｂの構成は図３に示した構成と同様であり、また、本発明の実施の形態２に係るＵＥの構成は図５に示した構成と同様であることから、これらの詳細な説明は省略する。ただし、ＣＱＩテーブル記憶部１０３、２０８が備えるＣＱＩテーブルは図４に示したものとは異なるので、このＣＱＩテーブルについて図８及び図９を用いて説明する。
【００４７】
図８に示したＣＱＩテーブルは、図１に示したＣＱＩテーブルから図９に示すようにして作成される。具体的には、図１に示したＣＱＩテーブルにおいて、例えば、上位ＣＱＩがレベル２であり、下位ＣＱＩがレベル１に対応するＭＣＳレベルは、上位ＣＱＩがレベル１、下位ＣＱＩがレベル４に対応するように変更され、また、上位ＣＱＩがレベル２であり、下位ＣＱＩがレベル３に対応するＭＣＳレベルは、上位ＣＱＩがレベル３、下位ＣＱＩがレベル１に対応するように変更される。このような変更が上位ＣＱＩの各レベルについて行われる。
【００４８】
このように、情報ビット数のステップ幅（量子化ステップサイズ）を小さくし、細かくすることにより、実施の形態１の図４に示したＣＱＩテーブルに比べ、精度良くＣＱＩを選択することができる。
【００４９】
このように実施の形態２によれば、ＣＱＩテーブルにおいて情報ビット数のステップ幅を小さくすることにより、精度良くＣＱＩを選択することができる。
【００５０】
上記各実施の形態では、本発明をハードウェアで構成する場合を例にとって説明したが、本発明はソフトウェアで実現することも可能である。
【００５１】
また、上記各実施の形態の説明に用いた各機能ブロックは、典型的には集積回路であるＬＳＩとして実現される。これらは個別に１チップ化されてもよいし、一部または全てを
含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００５２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００５３】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【００５４】
本明細書は、２００５年８月１８日出願の特願２００５−２３８０２０に基づくものである。この内容は全てここに含めておく。
【産業上の利用可能性】
【００５５】
本発明にかかる無線通信端末装置及びＣＱＩ選択方法は、ＣＱＩを正確に選択するという効果を有し、ＯＦＤＭ無線通信システムにおける通信端末装置等に適用できる。
【図面の簡単な説明】
【００５６】
【図１】ＣＱＩテーブルを示す図
【図２Ａ】上位ＣＱＩ及び下位ＣＱＩの選択方法の説明に供する図
【図２Ｂ】上位ＣＱＩ及び下位ＣＱＩの選択方法の説明に供する図
【図３】本発明の実施の形態１に係るＮｏｄｅ Ｂの構成を示すブロック図
【図４】図３に示したＣＱＩテーブル記憶部が備えるＣＱＩテーブルを示す図
【図５】本発明の実施の形態１に係るＵＥの構成を示すブロック図
【図６】図３に示したＮｏｄｅ Ｂと図５に示したＵＥとの通信手順を示すシーケンス図
【図７Ａ】上位ＣＱＩ及び下位ＣＱＩの選択方法の説明に供する図
【図７Ｂ】上位ＣＱＩ及び下位ＣＱＩの選択方法の説明に供する図
【図８】本発明の実施の形態２におけるＣＱＩテーブルを示す図
【図９】図８に示したＣＱＩテーブルの作成方法を示す図
【図１】
0004818271.tif 000002
【図２Ａ】
0004818271.tif 000003
【図２Ｂ】
0004818271.tif 000004
【図３】
0004818271.tif 000005
【図４】
0004818271.tif 000006
【図５】
0004818271.tif 000007
【図６】
0004818271.tif 000008
【図７Ａ】
0004818271.tif 000009
【図７Ｂ】
0004818271.tif 000010
【図８】
0004818271.tif 000011
【図９】
0004818271.tif 000012